(57)【要約】      （修正有）【課題】受信機での順番待ちや受信機に出向くことを必要とせずに施工工事中に受信機からの信号回線に接続される端末の状態を示す端末情報を簡単且つ容易に確認することを可能とする。【解決手段】受信機10からの信号回線12−１〜１２−３にアナログ火災感知器14を含む端末を接続して火災を監視する。受信機の施工端末管理部50は施工端末情報52に基づき端末のアドレスを端末未接続に初期設定した施工状況管理画面をディスプレイ36に表示する。信号回線にアナログ火災感知器等の端末が接続されると、端末接続となったアドレスを検出して施工端末情報を更新し、端末未接続を端末接続に変更した施工状況管理画面を表示する。受信機の施工端末情報は、無線ＬＡＮ通信部46により工事関係者の携帯端末54に送信され、受信した施工端末情報に基づき施工状況管理サブ画面が表示され、端末接続工事による端末接続の進捗状況等が確認できる。【選択図】図１
2019204423.tif 000002
【特許請求の範囲】
【請求項１】
受信機及び又は中継盤から引き出された信号回線に火災感知器を含む端末を接続して火災を監視する火災報知設備に於いて、
前記受信機に、
前記信号回線に対する前記端末の施工状況を示す施工端末情報を生成して管理すると共に前記施工端末情報に基づき施工状況管理画面を生成して表示する施工端末管理部と、
前記施工端末管理部の前記施工端末情報を外部に送信する通信部と、
が設けられ、
前記受信機の前記通信部に通信接続して前記施工端末管理部から受信した前記施工端末情報に基づいて施工状況管理サブ画面を生成して表示する携帯端末が設けられたことを特徴する火災報知設備。
【請求項２】
請求項１記載の火災報知設備に於いて、前記施工状況管理画面及び前記施工状況管理サブ画面は、前記信号回線に接続可能な端末の全アドレス又は一部のアドレスに対応して端末未接続、端末接続及び端末種別を示す情報が表示されたことを特徴とする火災報知設備。
【請求項３】
請求項１記載の火災報知設備に於いて、前記施工状況管理画面及び前記施工状況管理サブ画面は、前記信号回線に接続可能な端末の全アドレス又は一部のアドレスが配置され、端末未接続と端末接続に該当するアドレスの表示形態を異ならせて表示することを特徴とする火災報知設備。
【請求項４】
請求項１記載の火災報知設備に於いて、
前記施工端末管理部は前記信号回線に接続可能な端末の全アドレス又は一部のアドレスの各アドレスにいずれの種別の端末が接続されるべきか及び未接続となるべきかを示す施工予定を記憶しており、
前記施工状況管理画面及び前記施工状況管理サブ画面は、前記端末接続の該当するアドレスの色分け表示において、施工予定と異なる端末接続が検出された場合は、接続状態の相違を示す所定の色分け表示とすることを特徴とする
【請求項５】
請求項１記載の火災報知設備に於いて、
前記受信機の前記施工端末管理部は、前記信号回線に前記端末を接続可能な全アドレスを端末未接続に初期設定した前記施工端末情報を予め記憶し、前記信号回線に対する端末の接続と種別を検出して前記施工端末情報を更新すると共に前記端末の接続と種別を示す前記施工状況管理画面を生成して表示し、
前記携帯端末は、前記施工端末管理部から受信した前記施工端末情報に基づいて、前記端末の接続と種別を示す前記施工状況管理サブ画面を生成して表示することを特徴とする火災報知設備。
【請求項６】
請求項５記載の火災報知設備に於いて、
前記受信機の前記施工端末管理部は、伝送部に指示して前記信号回線に端末アドレスを順次指定した呼出信号を送信しており、前記呼出信号の送信に対し呼出応答信号が受信された場合に、前記呼出応答信号に含まれたアドレスの端末接続を検出し、
続いて、前記端末接続を検出した前記端末のアドレスを指定した種別問合せ信号の送信により前記端末の種別を検出することを特徴とする火災報知設備。
【請求項７】
請求項１記載の火災報知設備に於いて、
前記携帯端末は、前記受信機の前記通信部に通信接続して前記施工端末管理部から受信した前記施工端末情報を記憶し、前記施工端末情報の記憶後は、前記施工端末管理部から変化のあったアドレスの施工端末情報を取得して更新することを特徴とする火災報知設備。
【請求項８】
請求項１記載の火災報知設備に於いて、
前記携帯端末は、前記受信機の前記施工端末管理部から受信した前記施工端末情報を、前記受信機で表示している前記施工状況管理画面と同一形式の前記施工状況管理サブ画面により表示させることを特徴とする火災報知設備。
【請求項９】
請求項１記載の火災報知設備に於いて、
前記携帯端末は、前記受信機の前記施工端末管理部から受信した前記施工端末情報を、前記受信機に表示している前記施工状況管理画面とは異なる所定の加工が施された形式の前記施工状況管理サブ画面により表示させることを特徴とする火災報知設備。
【請求項１０】
請求項９記載の火災報知設備に於いて、
前記携帯端末は、前記受信機の前記施工端末管理部から受信した前記施工端末情報を、所定の期間単位に分けて前記施工状況端末画面により表示させることを特徴とする火災報知設備。
【請求項１１】
）
請求項１０記載の火災報知設備に於いて、
前記携帯端末は、前記施工状況端末画面による表示において、
前記所定の期間において変化した前記施工端末情報の項目の表示形態と、
前記所定の期間において変化していない前記施工端末情報の表示形態と、
を異ならせることを特徴とする火災報知設備。
【請求項１２】
請求項９記載の火災報知設備に於いて、
前記携帯端末は、前記受信機の前記施工端末管理部から受信した前記施工端末情報を、前記受信機から引き出された前記信号回線に対応した系統毎に分けて前記施工状況管理サブ画面により表示させることを特徴とする火災報知設備。
【請求項１３】
請求項９記載の火災報知設備に於いて、
前記携帯端末は、前記受信機の前記施工端末管理部から取得した前記施工端末情報を、担当者毎に分けて前記施工状況管理サブ画面により表示させることを特徴とする火災報知設備。
【請求項１４】
請求項１記載の火災報知設備に於いて、
前記受信機の前記通信部は、火災報知設備の施工エリアに通信可能領域を設定して前記携帯端末と通信接続することを特徴とする火災報知設備。
【請求項１５】
請求項１記載の火災報知設備に於いて、
前記受信機の前記通信部は、外部ネットワークを介して接続されるサーバを経由して前記携帯端末と通信接続することを特徴とする火災報知設備。
【請求項１６】
受信機から引き出された信号回線に火災感知器を含む端末を接続して火災を監視する火災報知設備に於いて、
前記受信機に、
前記信号回線に対する前記端末の施工状況を示す所定の施工端末情報を生成して管理すると共に前記施工端末情報に基づき所定の施工状況管理画面を生成して表示する施工端末管理部と、
前記施工端末管理部により表示する前記施工状況画面の画面情報を外部に送信する通信部と、
が設けられ、
前記受信機の前記通信部に通信接続して前記施工端末管理部から受信した前記画面情報に基づいて、前記施工状況管理画面のコピー画面を表示する携帯端末が設けられたことを特徴する火災報知設備。
【発明の詳細な説明】
【技術分野】
【０００１】
本発明は、受信機から引き出された信号回線に固有のアドレスが設定された火災感知器や防排煙機器等の端末を接続して火災を監視する火災報知設備に関する。
【背景技術】
【０００２】
従来、Ｒ型として知られた火災報知設備にあっては、受信機から引き出された信号回線に、固有のアドレスが設定された伝送機能を有する火災感知器等の端末を接続し、火災検出時には、火災感知器からの火災割込みに基づき、受信機から検索コマンドを発行して発報した火災感知器のアドレスを特定して煙濃度や温度等の火災データを収集し、火災データが所定の火災閾値を超えた場合に火災と判断し、火災代表灯を点灯して主音響警報を出力し、更に、受信機に設けられたディスプレイに、火災発生メッセージ、火災発生場所、火災発生時刻、受信機操作ガイダンス等を表示した火災警報画面を表示させている。
【０００３】
このような火災報知設備の施工では、防災センター等に設置した受信機から引き出された信号回線に固有のアドレスが設定された火災感知器や防排煙機器等の端末を接続する工事を行い、接続の済んだ端末については動作を確認する試験等を行い、最終的に行われる消防検査に向けて工事を進めている。
【０００４】
ところで、火災報知設備の施工工事の際に受信機は施工保守モードに切り替えられており、施工保守モードで受信機は信号回線に対する端末の接続と未接続、接続の済んだ端末について行われた試験結果等を示す施工端末情報を管理し、受信機のディスプレイ装置に施工端末情報に基づき施工状況管理画面を表示し、施工状況管理画面を現場担当者、協力業者、管理者といった工事関係者が見ることで、工事完了後に行われる消防検査に向けての工事方針を確認するための重要な情報源として利用している。
【先行技術文献】
【特許文献】
【０００５】
【特許文献１】特開２００７−２６５３５３号公報
【特許文献２】特開２００７−２１９８７０号公報
【発明の概要】
【発明が解決しようとする課題】
【０００６】
しかしながら、このような火災報知設備にあっては、工事が進んで竣工間際の施工現場では、工事の現状を示す情報源である受信機画面の端末情報を確認するため、多数の工事関係者が頻繁に利用するようになり、受信機の施工状況管理画面を見るために受信機前で順番待ちとなる渋滞が発生している。
【０００７】
例えば現場担当者は、施工状況管理画面を見ることで、現場全体の進捗状況を把握して工事方針の策定を行う。また、協力業者は、施工状況管理画面を見て担当している作業エリアの状況把握、施工後の火災感知器の状況の確認等を行う。更に、工事管理者は、施工状況管理画面を見て現場行程と残り作業のボリュームを確認し、現場全体の進捗状況を確認している。
【０００８】
また、工事担当者や協力業者は、工事現場から場所的に離れた受信機に出向いて施工状況管理画面を確認することとなり、行き来に時間がかかる問題もある。
【０００９】
このように火災報知設備の施工工事にあっては、現場管理のかなめとなる受信機の施工状況管理画面の確認には手間と時間がかかる問題があり、工事関係者に大きな負担を負わせることになっている。
【００１０】
本発明は、受信機での順番待ちや受信機に出向くことを必要とすることなく、施工工事中に受信機からの信号回線に接続される端末の状態を示す施工状況を、簡単且つ容易に確認することを可能とする火災報知設備を提供することを目的とする。
【課題を解決するための手段】
【００１１】
（火災報知設備）
本発明は、受信機及び又は中継盤から引き出された信号回線に火災感知器を含む端末を接続して火災を監視する火災報知設備に於いて、
受信機に、
信号回線に対する端末の施工状況を示す施工端末情報を生成して管理すると共に施工端末情報に基づき施工状況管理画面を生成して表示する施工端末管理部と、
施工端末管理部の施工端末情報を外部に送信する通信部と、
が設けられ、
受信機の通信部に通信接続して施工端末管理部から受信した施工端末情報に基づいて施工状況管理サブ画面を生成して表示する携帯端末が設けられたことを特徴する。
【００１２】
（施工状況管理画面の表示）
施工状況管理画面及び施工状況管理サブ画面は、信号回線に接続可能な端末の全アドレス又は一部のアドレスに対応して端末未接続、端末接続及び端末種別を示す情報が表示される。
【００１３】
（施工端末状況の色分け表示）
施工状況管理画面及び施工状況管理サブ画面は、信号回線に接続可能な端末の全アドレス又は一部のアドレスが配置され、端末未接続と端末接続に該当するアドレスを色分けして表示する。
【００１４】
また、施工状況管理画面及び施工状況管理サブ画面は、信号回線に接続可能な端末の全アドレス又は一部のアドレスが配置され、端末未接続と端末接続に該当するアドレスの表示形態を異ならせて表示する。
【００１５】
（種別が相違した接続端末の色分け表示）
施工端末管理部は信号回線に接続可能な端末の全アドレス又は一部のアドレスの各アドレスにいずれの種別の端末が接続されるべきか及び未接続となるべきかを示す施工予定を記憶しており、
施工状況管理画面及び施工状況管理サブ画面は、端末接続の該当するアドレスの色分け表示において、施工予定と異なる端末接続が検出された場合は、接続状態の相違を示す所定の色分け表示とする。
【００１６】
（端末の未接続と接続を画面表示）
受信機の施工端末管理部は、信号回線に端末を接続可能な全アドレスを端末未接続に初期設定した施工端末情報を予め記憶し、信号回線に対する端末の接続と種別を検出して施工端末情報を更新すると共に端末の接続と種別を示す施工状況管理画面を生成して表示し、
携帯端末は、施工端末管理部から受信した施工端末情報に基づいて、端末の接続と種別を示す施工状況管理サブ画面を生成して表示する。
【００１７】
（端末接続と種別の検出）
受信機の施工端末管理部は、伝送部に指示して信号回線に端末アドレスを順次指定した呼出信号を送信しており、呼出信号の送信に対し呼出応答信号が受信された場合に、呼出応答信号に含まれたアドレスの端末接続を検出し、
続いて、端末接続を検出した端末のアドレスを指定した種別問合せ信号の送信により端末の種別を検出する。
【００１８】
（携帯端末での端末情報の更新）
携帯端末は、受信機の通信部に通信接続して施工端末管理部から受信した施工端末情報を記憶し、施工端末情報の記憶後は、施工端末管理部から変化のあったアドレスの施工端末情報を取得して更新する。
【００１９】
（受信機と同じ画面での端末情報表示）
携帯端末は、受信機の施工端末管理部から受信した施工端末情報を、受信機で表示している施工状況管理画面と同一形式の施工状況管理サブ画面により表示させる。
【００２０】
（受信機と異なる形式の画面を端末で表示）
携帯端末は、受信機の端末管理部から受信した施工端末情報を、受信機に表示している施工状況管理画面とは異なる所定の加工が施された形式の施工状況管理サブ画面により表示させる。
【００２１】
（期間単位の端末情報表示）
携帯端末は、受信機の施工端末管理部から受信した施工端末情報を、所定の期間単位に分けて施工状況管理サブ画面により表示させる。
【００２２】
（期間単位の端末情報表示更新部分の表示）
携帯端末は、施工状況端末画面による表示において、
所定の期間において変化した施工端末情報の項目の表示形態と、
所定の期間において変化していない施工端末情報の表示形態と、
を異ならせる。
【００２３】
（携帯端末での系統分けによる端末情報表示）
携帯端末は、受信機の施工端末管理部から受信した施工端末情報を、受信機から引き出された信号回線に対応した系統毎に分けて施工状況管理サブ画面により表示させる。
【００２４】
（担当者分けによる端末情報表示）
携帯端末は、受信機の施工端末管理部から取得した施工端末情報を、担当者毎に分けて施工状況管理サブ画面により表示させる。
【００２５】
（受信機と携帯端末の直接通信）
受信機の通信部は、火災報知設備の施工エリアに通信可能領域を設定して携帯端末と通信接続する。
【００２６】
（サーバを経由した受信機と携帯端末の通信）
受信機の通信部は、外部ネットワークを介して接続されるサーバを経由して携帯端末と通信接続する。
【００２７】
（施工状況管理画面の画面情報の送信）
本発明の別の形態にあっては、受信機から引き出された信号回線に火災感知器を含む端末を接続して火災を監視する火災報知設備に於いて、
受信機に、
信号回線に対する端末の施工状況を示す所定の施工端末情報を生成して管理すると共に施工端末情報に基づき施工状況管理画面を生成して表示する施工端末管理部と、
施工端末管理部により表示する施工状況画面の画面情報を外部に送信する通信部と、
が設けられ、
受信機の通信部に通信接続して施工端末管理部から受信した画面情報に基づいて、施工状況管理画面のコピー画面を表示する携帯端末が設けられたことを特徴する。
【発明の効果】
【００２８】
（基本的な効果）
本発明は、本発明は、受信機から引き出された信号回線に火災感知器を含む端末を接続して火災を監視する火災報知設備に於いて、受信機に、信号回線に対する端末の施工状況を示す施工端末情報を生成して管理すると共に施工端末情報に基づき施工状況管理画面を生成して表示する施工端末管理部と、施工端末管理部の施工端末情報を外部に送信する通信部とが設けられ、受信機の通信部に通信接続して施工端末管理部から受信した施工端末情報に基づいて施工状況管理サブ画面を生成して表示する携帯端末が設けられたため、工事関係者は、受信機の設置場所に出向いて受信機の施工状況管理画面を確認することなく、工事関係者が携帯している携帯端末に受信機の施工端末情報に基づき表示された施工状況管理サブ画面を見ることで端末の施工状況を簡単に確認することができ、受信機画面で端末情報を見るために順番待ちをしたり、離れた工事現場から受信機画面を見るために行き来する必要がなくなり、端末の施工状況を見るための工事関係者の負担を解消し、消防検査に向けた施工工事を円滑に効率良く進めることを可能とする。
【００２９】
（施工状況管理画面の表示による効果）
また、施工状況管理画面及び施工状況管理サブ画面は、信号回線に接続可能な端末の全アドレス又は一部のアドレスに対応して端末未接続、端末接続及び端末種別を示す情報が表示されるようにしたため、火災感知器を含む端末の施工状況を、受信機に加え利用者の携帯端末で、簡単且つ確実に確認することができる。
【００３０】
（端末状況の色分け表示による効果）
また、施工状況管理画面及び施工状況管理サブ画面は、信号回線に接続可能な端末の全アドレス又は一部のアドレスが配置され、端末未接続と端末接続に該当するアドレスを色分けして表示され、また、施工状況管理画面及び施工状況管理サブ画面は、信号回線に接続可能な端末の全アドレス又は一部のアドレスが配置され、端末未接続と端末接続に該当するアドレスの表示形態を異ならせて表示するようにしたため、施工状況管理画面で例えば端末未接続のアドレスは青、端末接続のアドレスは赤で色分け表示され、施工状況管理画面を見た場合に、赤に色分け表示された端末接続のアドレスの配置から、火災感知器等の端末の進捗状態等の施工情報を一目で確認することができる。
【００３１】
（種別の相違する端末接続の色分け表示による効果）
また、施工端末管理部は信号回線に接続可能な端末の全アドレス又は一部のアドレスの各アドレスにいずれの種別の端末が接続されるべきか及び未接続となるべきかを示す施工予定を記憶しており、施工状況管理画面及び施工状況管理サブ画面は、端末接続の該当するアドレスの色分け表示において、施工予定と異なる端末接続が検出された場合は、接続状態の相違を示す所定の色分け表示とするようにしたため、例えば、端末未接続のアドレス青、端末接続のアドレスを赤とする色分け表示に加え、端末接続となったアドレスの中で、施工予定とは異なる種別の端末が誤って接続された場合には例えば黄色の色分け表示とし、施工状況管理画面から種別を誤った端末接続を簡単に確認して、正しい種別の端末接続への切替え作業を効率良く行うことができる。
【００３２】
（携帯端末での端末情報の更新による効果）
また、携帯端末は、受信機の通信部に通信接続して施工端末管理部から受信した施工端末情報を記憶し、施工端末情報の記憶後は、施工端末管理部から変化のあったアドレスの施工端末情報を取得して更新するようにしたため、受信機から携帯端末に対しては変化のあった施工端末情報を送信すればよく、通信量の低減により通信効率を高めることができる。
【００３３】
（受信機と同じ形式での端末情報の表示による効果）
また、携帯端末は、受信機の施工端末管理部から受信した施工端末情報を、受信機で表示している施工状況管理画面と同一形式の施工状況管理サブ画面により表示させるようにしたため、受信機に出向いて受信機画面に施工端末情報を表示させたと同じ感覚で効率良く端末情報を確認することができる。
【００３４】
（受信機と異なる形式での携帯端末態情報の表示による効果）
また、携帯端末は、受信機の端末管理部から受信した施工端末情報を、受信機に表示している施工状況管理画面とは異なる所定の加工が施された形式の施工状況管理サブ画面により表示させるようにしたため、必要に応じて受信機画面とは異なる形式で施工端末情報を表示させることで、携帯端末を利用して施工状況を確認する工事関係者のニーズに合わせた施工端末情報の表示が行われ、施工状況の確認をより行い易くすることを可能とする。
【００３５】
（期間分けによる端末情報の表示の効果）
また、携帯端末は、受信機の施工端末管理部から受信した施工端末情報を、所定の期間単位に分けて施工状況管理サブ画面により表示させるようにしたため、工事関係者は工事進捗が予定から遅れている場合に、例えば過去の所定期間を指定した施工状況管理サブ画面の表示により遅れの原因を判断して解消に努めるといった利用を可能とする。
【００３６】
（期間単位の端末情報表示更新部分の表示による効果）
また、携帯端末は、施工状況端末画面による表示において、所定の期間において変化した施工端末情報の項目の表示形態と、所定の期間において変化していない施工端末情報の表示形態とを異ならせるようにしたため、所定期間に施工が進んでいるか否かを簡単且つ容易に確認することができる。
【００３７】
（携帯端末での系統分けによる端末情報の表示）
また、携帯端末は、受信機の施工端末管理部から受信した施工端末情報を、受信機から引き出された信号回線に対応した系統毎に分けて施工状況管理サブ画面により表示させるようにしたため、工事関係者は、日単位に施工状況管理サブ画面を携帯端末に表示させることで、工事の進捗状況を的確に把握し、今後の工事方針や竣工の見通しの判断に役立たせることを可能とする。
【００３８】
（携帯端末での担当者分けによる端末情報の表示の効果）
また、携帯端末は、受信機の施工端末管理部から取得した施工端末情報を、担当者毎に分けて施工状況管理サブ画面により表示させるようにしたため、工事関係者は自分の担当している工事エリア等の施工端末情報を携帯端末の施工状況管理サブ画面に表示させることで、工事予定に対し現状を把握して自分の担当する工事の進捗状況を的確に把握し、今後の工事方針や竣工の見通しの判断に役立たせることを可能とする。
【００３９】
（受信機と携帯端末の直接通信による効果）
受信機の通信部は、火災報知設備の施工エリアに通信可能領域を設定し、通信可能領域に位置した携帯端末は、受信機の端末管理部から端末情報を取得して画面表示するようにしたため、受信機の通信部により無線ＬＡＮ等の簡単な無線通信環境を施工エリアに設定することで、受信機から端末情報を利用者の携帯端末で取得して利用できる。
【００４０】
（サーバを経由した受信機と携帯端末の通信）
携帯端末は、外部ネットワークを介して接続されるサーバを経由して受信機の端末管理部から端末情報を取得して画面表示するようにしたため、受信機の通信部により携帯電話網やＷｉＦｉ等の広域無線環境を利用してインターネット上のサーバに端末情報を送り、サーバの端末情報を利用者が携帯する携帯端末で受信して確認することができ、場所的な制約を受けることなく、施工場所以外の場所でも端末情報を取得して利用することができる。
【００４１】
（分散システムの施工状況管理画面による効果）
また、受信機に対しネットワーク回線を介して１又は複数の中継盤が接続され、中継盤から引き出された信号回線に火災感知器及び連動機器を含む端末が接続され、中継盤に信号回線に対する端末の施工状況を示す施工端末情報が記憶され、中継盤で火災を検出した場合に受信機に通知して火災警報を出力させる分散システムが構成されており、施工端末管理部は、中継盤に記憶された施工端末情報に基づき中継盤の施工状況管理画面を生成して表示すると共に通信部により中継盤の施工端末情報を携帯端末に送信し、携帯端末は、受信機の通信部に通信接続して施工端末管理部から受信した中継盤の施工端末情報に基づいて施工状況管理サブ画面を生成して表示するようにしたため、現場担当者、協力業者、工事管理者等の工事関係者は、受信機の設置場所に出向いて中継盤の施工状況管理画面により端末情報を確認することなく、工事関係者が携帯している携帯端末に中継盤の施工端末情報に基づき表示された施工状況管理サブ画面を見ることで中継盤における端末の施工状況を簡単に確認することができ、受信機画面で端末情報を見るために順番待ちをしたり、離れた工事現場から受信機画面を見るために行き来する必要がなくなり、中継盤における施工状況を見るための工事関係者の負担を解消し、消防検査に向けた施工工事を円滑に効率良く進めることを可能とする。
【００４２】
（施工状況管理画面の画面情報の送信による効果）
また、本発明の別の形態にあっては、受信機から引き出された信号回線に火災感知器を含む端末を接続して火災を監視する火災報知設備に於いて、受信機に、信号回線に対する端末の施工状況を示す所定の施工端末情報を生成して管理すると共に施工端末情報に基づき施工状況管理画面を生成して表示する施工端末管理部と、施工端末管理部により表示する施工状況画面の画面情報を外部に送信する通信部とが設けられ、受信機の通信部に通信接続して施工端末管理部から受信した画面情報に基づいて、施工状況管理画面のコピー画面を表示する携帯端末が設けられたため、受信機で表示している施工状況管理画面をコピー画面として携帯端末に送信して表示させることで、受信機で生成管理している施行端末情報を携帯端末に送って施工状況管理画面を生成表示する場合に比べ、携帯端末側の処理を簡単にすることができ、例えば、スマートホンやタブレット端末等の携帯端末により施工状況管理画面を簡単に確認することが可能となる。
【図面の簡単な説明】
【００４３】
【図１】施工管理情報を受信機で画面表示する火災報知設備の実施形態を示した説明図
【図２】受信機に記憶された施工管理情報の一例を示した説明図
【図３】受信機から施工管理情報を受信して画面表示する携帯端末の実施形態を示した説明図
【図４】端末接続工事前の施工状況管理画面を示した説明図
【図５】図４に続く施工状況管理画面を示した説明図
【図６】端末接続工事に伴う施工状況管理画面を示した説明図
【図７】図６に続く施工状況管理画面を示した説明図
【図８】受信機による施工管理制御を示したフローチャート
【図９】携帯端末による施工状況管理サブ画面の表示制御を示したフローチャート
【図１０】アドレスマップを用いた施工状況管理画面の表示形式を示した説明図
【図１１】端末接続工事前のアドレスマップを用いた施工状況管理画面を示した説明図
【図１２】端末接続工事に伴うアドレスマップを用いた施工状況管理画面を示した説明図
【図１３】担当者を色分けしたアドレスマップを用いた施工状況管理画面を示した説明図
【図１４】受信機からサーバを経由して施工管理情報を携帯端末に送信する火災報知設備の実施形態を示した説明図
【図１５】中継盤の施工状況を受信機により画面表示する火災報知設備の実施形態を示した説明図
【発明を実施するための形態】
【００４４】
［火災報知設備］
（火災報知設備の概要）
図１は施工管理情報を受信機で画面表示する火災報知設備の実施形態を示した説明図である。図１に示すように、施工工事が完了して運用状態にある火災報知設備は、火災報知設備が設置された建物の一階の管理人室などには例えばＲ型の受信機１０が設置され、受信機１０から警戒区域に対し系統毎に分けて信号回線１２−１〜１２−３が引き出されている。
【００４５】
信号回線１２−１には固有のアドレスが設定された伝送機能を有する複数のアナログ火災感知器１４が接続され、また、固有のアドレスが設定された伝送機能を有する中継器１６から引き出された感知器回線１７にオンオフ火災感知器１８及び発信機２０が接続されている。
【００４６】
信号回線１２−２には複数のアナログ火災感知器１４の接続に加え、固有のアドレスが設定された伝送機能を有するアドレッサブル発信機２２が接続されている。更に、信号回線１２−３には固有のアドレスが設定された伝送機能を有する中継器１６を介して防排煙機器２４が接続されている。
【００４７】
ここで、信号回線１２−１〜１２−３に接続されるアナログ火災感知器１４、中継器１６等の端末機器に設定される最大アドレス数を例えば２５５としており、信号回線１２には最大２５５台のアナログ火災感知器１４を含む端末機器が接続できる。なお、以下の説明では、信号回線１２−１〜１２−３を区別する必要がない場合は、信号回線１２という場合がある。
【００４８】
（受信機の機能構成）
受信機１０には、メインＣＰＵ２６と複数のサブＣＰＵ基板２８−１〜２８−３が設けられ、サブＣＰＵ基板２８−１〜２８−３にはサブＣＰＵ３０−１〜３０−３と伝送部３２−１〜３２−３が設けられている。
【００４９】
メインＣＰＵ２６とサブＣＰＵ３０−１〜３０−３は、シリアル転送バス３４で接続されており、相互にデータを送受信する。なお、以下の説明では、サブＣＰＵ３０−１〜３０−３及び伝送部３２−１〜３２−３を区別する必要がない場合はサブＣＰＵ３０及び伝送部３２という場合がある。
【００５０】
メインＣＰＵ２６には、液晶表示パネル等を用いたタッチパネル付きのディスプレイ３６、火災、ガス漏れ、障害の代表灯、ＬＥＤ表示灯等が設けられた表示部３８、施工保守モードと火災監視モードを切り替えるスイッチや火災監視に必要な各種のスイッチが設けられた操作部４０、スピーカが設けられた音響警報部４２、及び、移報部４４が接続されている。
【００５１】
また、メインＣＰＵ２６には図示しないＵＳＢポートが設けられ、可搬自在なＵＳＢメモリをセットすることでデータの読出しや書込みを可能としている。
【００５２】
メインＣＰＵ２６にはプログラムの実行により実現される機能として火災監視制御部４８と施工端末管理部５０が設けられる。施工端末管理部５０は火災報知設備の施工工事に伴い受信機１０を施工保守モードに切り替えた場合に機能する。また、火災監視制御部４８は火災報知設備の施工工事が完了して受信機１０を火災監視モードに切り替えた運用中に機能する。
【００５３】
また、メインＣＰＵ２６には、施工端末管理に使用するアナログ火災感知器１４、オンオフ火災感知器１８が接続された中継器１６、アドレッサブル発信機２２、防排煙機器２４が接続された中継器１６等の端末に関する施工端末情報５２が記憶されている。
【００５４】
メインＣＰＵ２６に対する施工端末情報５２の記憶は、火災報知設備の施工段階で工場等の製造元にて作成され、ＵＳＢメモリに格納して受信機１０のＵＳＢポートにセットし、受信機１０を所定の操作により施工保守モードに切り替えた状態で、ＵＳＢメモリから読み出され、メインＣＰＵ２６の不揮発メモリ上に施工端末情報５２として記憶される。
【００５５】
図２は受信機に記憶された施工端末情報の一例を示した説明図である。図２に示すように、施工端末情報５２は、系統、アドレス、種別、回線、棟、階、地区毎に分けられており、任意番号となる表示メッセージとして例えば「１階ロビー」「１階  第１会議室  東」といった地区名が格納され、続いて、連動先の機器情報として系統とアドレスを組み合わせた「１−１１１」「１−１１２」「１−１１３」といった連動先が格納されている。また、施工端末情報５２には、施行工事に伴う端末未接続、端末接続、端末試験結果等を示す施工関連情報も記憶される。
【００５６】
なお、メインＣＰＵ２６に記憶された施工端末情報５２は、火災報知設備の施工工事が完了して受信機１０を火災監視モードに切り替えて火災監視制御部４８が機能した運用中は、火災地区表示や連動制御のための端末情報としてそのまま利用される。
【００５７】
（受信機の火災監視制御）
火災報知設備の施工工事が完了して受信機１０を火災監視モードに切り替えた運用中における火災監視制御は次のようになる。
【００５８】
サブＣＰＵ基板２８−１のサブＣＰＵ３０−１を例にとると、サブＣＰＵ３０−１は伝送部３２−１に指示してアナログ火災感知器１４との間で所定の通信プロトコルに従って信号を送受信することで、火災監視制御を行っている。
【００５９】
サブＣＰＵ３０−１による火災監視制御は、通常の監視中にあっては、一定周期毎に、伝送部３２−１に指示して、一括ＡＤ変換コマンドを含むブロードキャストの一括ＡＤ変換信号を送信しており、この一括ＡＤ変換信号を受信したアナログ火災感知器１４は、煙濃度又は温度をセンサデータとして検出して保持する。続いて、サブＣＰＵ３０−１は、端末アドレスを順次指定したポーリングコマンドを含む呼出信号を送信している。
【００６０】
アナログ火災感知器１４は自己アドレスに一致するアドレスを持つ呼出信号を受信すると、そのとき保持しているセンサのアナログデータを含む応答信号を伝送部３２−１に送信する。また、アナログ火災感知器１４はセンサのアナログデータが所定の火災判定レベルより低い所定の火災プリレベルに達したことを検出すると伝送部３２−１に対し火災割込み信号を送信する。
【００６１】
サブＣＰＵ３０−１は伝送部３２−１を介して火災割込み信号を受信すると、グループ検索コマンド信号を送信して火災を検出しているアナログ火災感知器１４を含むグループを特定し、続いて、火災を検出しているアナログ火災感知器１４のアドレスを特定してセンサのアナログデータを集中的に収集し、シリアル転送バス３４を介してメインＣＰＵ２６に送信する。
【００６２】
メインＣＰＵ２６はサブＣＰＵ３０−１から受信したアナログデータを所定の火災判定レベルと比較しており、アナログデータが火災判定レベルに達した場合に火災と判定し、表示部３８の火災代表灯を点灯し、音響警報部４２のスピーカから火災発生を示す所定の主音響警報を出力させ、ディスプレイ３６に火災が検出された感知器アドレスに基づき火災発生場所を含む火災警報情報を表示させ、更に、移報部４４により火災移報信号を外部に出力して所定の移報制御等を行わせる。
【００６３】
サブＣＰＵ基板２８−２に設けられたサブＣＰＵ３０−２と伝送部３２−２による火災監視制御も、前述したサブＣＰＵ基板２８−１の場合と同じになる。また、サブＣＰＵ基板２８−３に設けられたサブＣＰＵ３０−３と伝送部３２−３については、メインＣＰＵ２６で火災が検知された場合に図２に示した施工端末情報５２の連動先に基づき防排煙機器２４の連動制御が行われる。
【００６４】
［火災報知設備の施工］
（火災報知設備の施工時の構成）
図１に示した火災報知設備の施工工事は、まず管理人室等に受信機１０を設置し、続いて受信機１０から警戒区域に向けて信号回線１２−１〜１２−３を引き出して敷設する配線工事を行う。
【００６５】
続いて、受信機１０から引き出された信号回線１２−１〜１２−３に、アナログ火災感知器１４、オンオフ火災感知器１８が接続された中継器１６、アドレッサブル発信機２２、防排煙機器２４が接続された中継器１６等の端末を接続する施工作業を行い、接続後に試験を行って正常に動作することを確認し、全ての施工工事が終了したら消防検査が行われ、これに合格した場合に、受信機１０を火災監視モードに切り替えて運用を開始し、火災監視制御に入ることになる。なお、施工中に火災監視モードに切り替えて施工作業や試験を行うようにしても良い。
【００６６】
施工保守モードで機能する施工端末管理部５０は、信号回線１２−１〜１２−３に対するアナログ火災感知器１４、オンオフ火災感知器１８が接続された中継器１６、アドレッサブル発信機２２、防排煙機器２４等の端末の施工状況を示す施工端末情報５２を生成して管理すると共に施工端末情報５２に基づき施工状況管理画面を生成してディスプレイ３６に表示する制御を行う。
【００６７】
また、メインＣＰＵ２６に対しては、施工端末管理部５０で生成管理されている施工端末情報５２を外部に送信する通信部として機能する無線ＬＡＮ通信部４６が設けられる。無線ＬＡＮ通信部４６は、メインＣＰＵ２６のＵＳＢポートに差し込んで使用するＷｉＦｉ（登録商標）ドングルとして知られた小型のインタフェース変換デバイス等を使用することができる。
【００６８】
無線ＬＡＮ通信部４６は、インタフェース変換アダプタとして機能し、ＵＳＢ通信プロトコルに従った信号と無線ＬＡＮ通信プロトコルに従った信号との間の変換を行う。例えば無線ＬＡＮ通信部４６は、ＵＳＢ２．０又はＵＳＢ３．０の標準規格に従った信号とイーサネット（登録商標）による無線ネットワークをベースにしたＩＥＥＥ８０２．１１に準拠した無線ＬＡＮ通信による信号との間の変換を行い、火災報知設備の施工エリアに無線ＬＡＮ通信可能エリアを形成する。
【００６９】
受信機１０の無線ＬＡＮ通信部４６に対応して火災報知設備の施工工事を行う工事関係者が携帯する携帯端末５４が設けられる。携帯端末５４は受信機１０の無線ＬＡＮ通信部４６に通信接続し、施工端末管理部５０から受信した施工端末情報５２に基づいて施工状況管理サブ画面を生成して表示する。
【００７０】
（携帯端末）
図３は受信機から施工管理情報を受信して画面表示する携帯端末の実施形態を示した説明図である。携帯端末５４は、端末ＣＰＵ６２、アンテナ６６が接続された通信部６４、液晶表示パネル等を用いたタッチパネル付きのディスプレイ６８及び操作表示部７０で構成される。
【００７１】
端末ＣＰＵ６２にはプログラムの実行により実現される端末制御部７２の機能が設けられる。また、端末ＣＰＵ６２のメモリには、受信機１０から受信した施工端末情報７４が記憶される。
【００７２】
通信部６４は受信機１０の無線ＬＡＮ通信部４６と同じイーサネット（登録商標）による無線ネットワークをベースにしたＩＥＥＥ８０２．１１に準拠した無線ＬＡＮ通信による信号を送受信する。
【００７３】
端末制御部７２は操作表示部７０又はディスプレイ６８の画面操作により通信部６４に指示して受信機１０の無線ＬＡＮ通信部４６に通信接続した状態で、受信機１０の施工端末管理部５０で生成管理している施工端末情報５２を受信して、メモリに端末管理情報７４として記憶する。
【００７４】
ここで、端末制御部７２は、最初に受信機１０の無線ＬＡＮ通信部４６に通信接続して施工端末管理部５０から施工端末情報を受信した場合はそのままメモリに記憶し、その後は、施工端末管理部５０から変化のあったアドレスの施工端末情報を取得してメモリの施工端末情報７４を更新する制御を行い、受信機１０から携帯端末５４に対しては変化のあった施工端末情報を送信することで、通信量の低減により通信効率を高めるようにする。
【００７５】
また、端末制御部７２は、受信機１０から受信して記憶した施工端末情報７４に基づき、受信機１０で表示している施工状況管理画面と同じ施工状況管理サブ画面をディスプレイ６８に表示させるが、受信機１０に表示している施工状況管理画面とは異なる所定の加工が施された施工状況管理サブ画面を表示させるようにしても良い。
【００７６】
例えば、端末制御部７２は、施工端末情報７４を所定の期間単位に分けた施工状況管理サブ画面、受信機１０から引き出された信号回線１２−１〜１２−３に対応した系統毎に分けた施工状況管理サブ画面、或いは、担当者毎に分けた施工状況管理サブ画面を表示させることができる。
【００７７】
このように携帯端末５４で加工された施工状況管理サブ画面を表示することで、携帯端末５４を利用して施工状況を確認する工事関係者のニーズに合わせた施工状況管理サブ画面が表示され、施工状況の確認をより行い易くすることを可能とする。
【００７８】
［施工状況管理画面］
図４は端末接続工事前の施工状況管理画面を示した説明図、図５は図４に続く施工状況管理画面を示した説明図、図６は端末接続工事に伴う施工状況管理画面を示した説明図、図７は図６に続く施工状況管理画面を示した説明図である。
【００７９】
なお、図４乃至図７は受信機１０のディスプレイ３６に表示される施工状況管理画面を示すが、携帯端末５４のディスプレイ６８に表示される施工状況管理サブ画面も表示形式が同じ場合には、受信機１０の施工状況管理画面と同じになり、従って、以下の受信機１０の施工状況管理画面の説明は、同時に携帯端末５４の施工状況管理サブ画面を説明することになる。
【００８０】
（端末接続工事前の初期画面）
図４に示すように、端末接続工事を開始する前に受信機１０のディスプレイ３６に表示される施工状況管理画面７６−１（携帯端末５４の施工状況管理サブ画面を含む）は、端末アドレス表示部７８を備え、端末アドレス表示部７８には、図１に示した信号回線１２の最大アドレス数を２５５アドレスとすると、行列配置された２元のアドレスマップが表示されている。ここで、図５は図４の端末アドレス表示部７８を最大アドレス２５５までスクロール表示した場合を示している。
【００８１】
図４及び図５に示す端末アドレス表示部７８の２元アドレスマップは、列方向に２列で列アドレス０００〜２５０を１０アドレス単位に分けて示し、行方向には行アドレス０〜９を１アドレス単位に分けて示しており、列アドレスと行アドレスで決まるアドレス００１〜２５５のアドレス位置に、図２の施工端末情報５２に基づく端末を接続する予定を示す端末未接続の符号「未」が表示されている。
【００８２】
例えば、図４の端末アドレス表示部７８では、アドレス００１，００２，０１１〜０１４，０１６〜０１８，０２１〜０２９，・・・などが符号「未」により端末未接続を示している。
【００８３】
また、施工状況管理画面７６−１には、画面操作に使用する操作釦として、一覧釦８０、詳細釦８２、昨日開通釦８４、本日開通釦８６、カレンダ選択釦８８等が設けられている。ここで、一覧釦８０は端末アドレス表示部７８に図示のアドレス全体を表示させる操作を行う。また、詳細釦８４は図示の端末アドレス表示部７８にアドレス範囲を絞って端末詳細情報を表示させる操作を行う。
【００８４】
また、施工状況管理画面７６−１に設けられた昨日開通釦８４、本日開通釦８６、カレンダ選択釦８８は、端末アドレス表示部７８に表示する施工状況の期間指定を行うもので、昨日の施工状況、本日の施工状況、カレンダから選択した日の施工状況を選択表示させる操作を行う。
【００８５】
これ以外に、施工状況管理画面７６−１には、端末状況として感度や障害等を表示させる操作釦が配置されるが、図示を省略している。なお、施工状況管理画面７６−１の操作釦は、他の施工状況管理画面７６−２においても同様である。
【００８６】
（端末工事中の施工状況管理画面）
図１の受信機１０から引き出された例えば信号回線１２に対してはアナログ火災感知器１４、オンオフ火災感知器１８が接続された中継器１６、アドレッサブル発信機２２、防排煙機器２４等を接続する端末工事が行われるが、この端末工事に伴い、例えば本日開通釦８６を操作した場合には、図６及び図７に示す施工状況管理画面７６−３，７６−４が受信機１０のディスプレイ３６に表示される（携帯端末５４ディスプレイ６８に表示される施工状況管理サブ画面を含む）。なお、図７は図６の端末アドレス表示部７８を最大アドレス２５５までスクロール表示した画面を示している。
【００８７】
図６の施工状況管理画面７６−３にあっては、アナログ火災感知器１４等の端末接続工事が行われた場合のサブＣＰＵ３０が伝送部３２に指示して行う呼出信号の送信に対する呼出応答信号の受信で端末接続アドレスが検出され、これに基づく種別呼出信号の送信により端末種別が検出されることから、端末接続と端末種別が検出されたアドレスの端末未接続の符号「未」を、端末接続と種別を示す符号「発」，「煙」，「熱」，「入」，「ガ」等で表示する。ここで、「発」は発信器、「煙」は煙感知器、「熱」は熱感知器、「入」は汎用デジタル入力端末、「ガ」はガス漏れ警報器を示している。
【００８８】
このように受信機１０のディスプレイ３６に表示可能な図６及び図７に示した施工状況管理画面７６−３，７６−４及は、図１に示した工事関係者が携帯する携帯端末５４の操作により受信機１０の通信部４６に通信接続し、そのとき施工端末管理部５０で生成管理している施工端末情報５０を受信することで、携帯端末５４のディスプレイ６８に施工状況管理サブ画面として同じ画面が表示され、工事関係者は携帯端末５４に表示された施工状況管理画面７６−１，７６−２と同じ施工状況管理サブ画面を必要に応じて見ることで、端末の施工状況を簡単に確認することができ、受信機画面で端末情報を見るために順番待ちをしたり、離れた工事原価場から受信機画面を見るために行き来する必要がなくなり、端末の施工状況を見るための工事関係者の負担を解消し、消防検査に向けた施工工事を円滑に効率良く進めることを可能とする。
【００８９】
「施工端末管理制御」
図８は受信機による施工管理制御を示したフローチャートであり、図１の受信機１０に設けられた施工端末管理部５０による制御動作となる。
【００９０】
図８に示すように、施工端末管理部５０は、受信機１０を所定の操作により施工保守モードに切り替えて立ち上げると、例えばメインＣＰＵ２６のＵＳＢポートに接続されたＵＳＢメモリ等から図２に示した施工端末情報５２を読み出してメモリに記憶し、続いて、端末工事開始前の初期画面となる例えば図４の施工状況管理画面７６−１を生成してディスプレイ３６に表示させる。
【００９１】
続いて、施工端末管理部５０はサブＣＰＵ３０に対する制御指示により、それぞれの伝送部３２を動作させて信号回線１２に一括ＡＤ変換信号と順次アドレスを指定した呼出信号の送信による端末呼出制御を繰り返し行わせている。
【００９２】
この端末呼出制御に対し施工端末管理部５０はステップＳ４でサブＣＰＵ３０による呼出応答信号の受信を判別するとステップＳ５に進み、呼出応答信号の送信を行った端末アドレスの端末接続を検出して施工端末情報５２の該当するアドレスの端末未接続を端末接続に更新する。
【００９３】
続いて、施工端末管理部５０はサブＣＰＵ３０に指示し、伝送部３２から端末接続を検出したアドレスを指定した種別要求信号を信号回線１２に送信し、その応答信号から端末接続となったアドレスの端末種別を検出し、施工端末情報５０の該当するアドレスの端末種別を更新する。
【００９４】
続いて、施工端末管理部５０は、ステップ５で検出した端末接続とステップＳ６で検出した端末種別に更新された施工端末情報５２に基づき、ステップＳ７で新たに検出された端末接続と端末種別を示す符号を追加した例えば図６に示した施工状況管理画面７６−３を生成してディスプレイ３６に表示させる。
【００９５】
なお、施工端末管理部５０は、ステップＳ６の種別要求信号の送信で検出した端末種別と施工端末情報５２の端末種別が不一致となった場合には、種別エラーと判定し、誤った種別の端末接続を示す障害表示等を施工状況管理画面で行う。
【００９６】
続いて、施工端末管理部５０はステップＳ８で無線ＬＡＮ通信部４６を経由した携帯端末５４の通信接続を判別するとステップＳ９に進み、そのとき施工端末管理部５０により生成管理しているメモリの施工端末情報５２を読み出して携帯端末５４に送信する制御を行う。続いて、施工端末管理部５０はステップＳ３に戻り、Ｓ３〜Ｓ９の処理を繰り返している。
【００９７】
［携帯端末による施工状況管理画面の表示制御］
図９は携帯端末による施工状況管理サブ画面の表示制御を示したフローチャートであり、図３に示した端末制御部７２の制御動作となる。
【００９８】
図９に示すように、工事関係者が施工状況を確認したい場合には、携帯している携帯端末５４を動作状態にすると、端末制御部７２はステップＳ１１で受信機１０に通信接続し、ステップＳ１２で施工端末情報の送信要求を行うことで、受信機１０の施工端末管理部５０で生成管理している施工端末情報５２を受信してメモリに施工端末情報７４として記憶する。
【００９９】
続いて、端末制御部７２はメモリに記憶した施工端末情報７４に基づき、例えば図６に示した施工状況管理画面７６−３と同じ施工状況管理サブ画面を生成し、ディスプレイ６８に表示させ、ステップＳ１４で受信機１０との通信接続を解除する。
【０１００】
続いて、端末制御部７２は、ディスプレイ６８に表示している例えば施工状況監視サブ画面の画面操作があれば、この画面操作に応じた施工状況管理サブ画面を生成して表示する。例えば、施工状況管理画面７６−３の昨日開通釦８４、本日開通釦８６又はカレンダ選択釦８８と同じ施工状況管理サブ画面の釦操作に対し、釦操作で指定された日の施工状況管理サブ画面を生成してディスプレイ６８に表示させる。
【０１０１】
続いて、端末制御部７２はステップＳ１６で所定周期で設定された通信接続タイミングの有無を判別しており、通信接続タイミングを判別するとステップＳ１１に戻り、ステップＳ１１〜Ｓ１６の処理を繰り返す。
【０１０２】
端末制御部７２はステップＳ１６で通信接続タイミングを判別しない場合はステップとＳ１７に進み、停止操作が判別されない場合はステップＳ１５からの処理を繰り返し、停止操作が判別された場合は動作を終了する。
【０１０３】
［施工状況管理画面の他の実施形態］
図１０はアドレスマップを用いた施工状況管理画面の表示形式を示した説明図、図１１は端末接続工事前のアドレスマップを用いた施工状況管理画面を示した説明図、図１２は端末接続工事に伴うアドレスマップを用いた施工状況管理画面を示した説明図である。
【０１０４】
なお、図１０乃至図１２は受信機１０のディスプレイ３６に表示される施工状況管理画面を示すが、携帯端末５４のディスプレイ６８に表示される施工状況管理サブ画面も表示形式が同じ場合には、受信機１０の施工状況管理画面と同じになり、従って、以下の受信機１０の施工状況管理画面の説明は、同時に携帯端末５４の施工状況管理サブ画面を説明することになる。
【０１０５】
（施工状況管理画面の表示形式）
図１０に示すように、本実施形態の施工状況管理画面１００−１の表示形式は、端末アドレス表示部１０２に、図１に示した信号回線１２当りのアドレス００１〜２５５の内のアドレス００１〜１２９が、１０アドレス単位に行列配置されたアドレスマップとして表示されている。なお、残りのアドレス１３０〜２５５は、図１１に示すように、端末アドレス表示部１０２をスクロールさせることにより表示させることができる。
【０１０６】
また、施工状況管理画面１００−１には、画面操作に使用する操作釦として、一覧釦８０、詳細釦８２、昨日開通釦８４、本日開通釦８６、カレンダ選択釦８８等が図４の施工状況管理画面７６−１と同様に設けられている。
【０１０７】
（端末接続工事前の初期画面）
図１の受信機１０が所定の操作により施工保守モードに切り替えられた状態で立上げられると、施工端末管理部５０によりメモリに記憶された施工端末情報５２に基づき、図１１に示す施工状況管理画面１００−２が受信機１０のディスプレイ３６に初期画面として表示される（携帯端末５４のディスプレイ６８に表示される施工状況管理サブ画面を含む）。
【０１０８】
初期画面として表示される施工状況管理画面１００−２は、端末アドレス表示部１０２に、施工端末情報５２に基づく端末接続予定となるアドレスを、砂地で示す背景色を例えば青とした端末未接続アドレス１１０で示している。例えば、端末アドレス表示部１０２の中の端末未接続アドレス１１０としては、アドレス００１，００２，０１１〜０１４，０１６〜０１８，０２１〜０２９・・・が砂地となる青の背景色により示されている。
【０１０９】
（端末接続工事中の画面）
図１の受信機１０から引き出された信号回線１２に対しアナログ火災感知器１４、オンオフ火災感知器１８が接続された中継器１６、アドレッサブル発信機２２、防排煙機器２４等を接続する端末工事が行われた場合には、例えば図１２に示す施工状況管理画面１００−３が受信機１０のディスプレイ３６又は携帯端末５４のディスプレイ６８に表示される（携帯端末５４のディスプレイ６８に表示される施工状況管理サブ画面を含む）。
【０１１０】
施工状況管理画面１００−３の端末アドレス表示部１０２には、端末接続と種別が検出された端末アドレスに対し、斜線で示す例えば赤の背景色が設定された端末接続アドレス１１２が表示される。例えば、端末アドレス表示部１０２の中の端末接続アドレス１１２として、アドレス００１，００２，０１１〜０１３，０３０〜０３６，・・・が斜線となる赤の背景色により示されている。
【０１１１】
また、端末接続となったアドレスについて検出された端末種別が、図１の施工端末情報５２の端末種別と異なる種別エラーが検出された場合には、種別エラーとなったアドレス０４７〜０４９に示すように、例えば黄の背景色により種別エラーアドレス１１４が表示される。
【０１１２】
このように端末アドレス表示部１０２に端末未接続、端末接続、種別エラーを色分けしたアドレスマップが表示されることで、施工状況管理画面１００−３を受信機１０のディスプレイ３６に表示した場合は勿論のこと、工事関係者が携帯端末５４のディスプレイ６８に同じ施工状況管理サブ画面表示した場合、施工状況管理画面１００−３の端末アドレス表示部１０２における青、赤、及び黄色の背景色による色分け表示を見ることで、端末未接続、端末接続、種別エラー端末といった施工状況を直感的に把握することができる。
【０１１３】
また、携帯端末５４により施工工事中の施工状況管理画面１００−３と同じ施工端末管理サブ画面を工事関係者が必要に応じて見ることで、端末の施工状況を簡単且つ確実に確認することができ、受信機画面で端末情報を見るために順番待ちをしたり、離れた工事現場から受信機画面を見るために行き来する必要がなくなり、端末の施工状況を見るための工事関係者の負担を解消し、消防検査に向けた施工工事を円滑に効率良く進めることを可能とする。
【０１１４】
（担当者による色分け画面表示）
図１３は担当者を色分けしたアドレスマップを用いた施工状況管理画面を示した説明図である。なお、図１３は受信機１０のディスプレイ３６に表示される施工状況管理画面を示すが、携帯端末５４のディスプレイ６８に表示される施工状況管理サブ画面も表示形式が同じ場合には、受信機１０の施工状況管理画面と同じになり、従って、以下の受信機１０の施工状況管理画面の説明は、同時に携帯端末５４の施工状況管理サブ画面を説明することになる。
【０１１５】
図１３に示すように、端末接続工事中に、担当者釦１０６を操作して図示しないダイヤログを開き、その中から特定の担当者を選択した場合には、施工状況管理画面１００−４として、端末アドレス表示部１０２には、選択された担当者による端末接続アドレスを、例えば砂地斜線で示す例えば紫の背景色が設定された担当者端末接続アドレス１１６が表示される。
【０１１６】
このような担当者の選択に対応した色分けによる担当者端末接続アドレス１１６の表示により、工事管理者は、協力企業等の担当者により工事の進捗状況を簡単且つ容易に把握して工事全体の管理に活用すること等ができる。
【０１１７】
［サーバを経由した通信接続］
図１４は受信機からサーバを経由して施工管理情報を携帯端末に送信する火災報知設備の実施形態を示した説明図である。
【０１１８】
図１４に示すように、本実施形態の火災報知設備にあっては、受信機１０に設けられた無線ルータ４７と施工領域で工事関係者が携帯している携帯端末５４との間の通信接続を外部ネットワークとなる広域無線通信網５６及びインターネット５８に接続されるサーバ６０を経由して行うようにしたことを特徴とする。
【０１１９】
無線ルータ４７はインタフェース変換アダプタとして機能し、例えばＵＳＢ２．０又はＵＳＢ３．０の標準規格に従った信号とイーサネット（登録商標）による無線ネットワークをベースにしたＩＥＥＥ８０２．１１に準拠した無線ＬＡＮ通信による信号との間の変換を行う。
【０１２０】
この無線ＬＡＮ通信において、無線ルータ４７は無線ＬＡＮのステーションとして機能し、アクセスポイントとして機能するＷｉＦｉ（登録商標）などの広域無線通信網５６との間の通信接続を確立してパケット信号を送受信し、インターネット５８上のサーバ６０との通信及び施工領域で工事関係者が携帯している携帯端末５４との間の通信接続を確立してパケット信号の送受信を行う。なお、広域無線通信網５６としては携帯電話網を使用しても良い。
【０１２１】
これ以外の構成及び機能は図１の実施形態と同じになることから同一符号を付してその説明は省略する。
【０１２２】
このように広域無線通信網５６及びインターネット５８を介して通信接続されるサーバ６０を経由して受信機１０と携帯端末５４の間で通信接続し、受信機１０から施工端末情報５２を、サーバ６０を経由して受信して施工状況管理サブ画面を表示させることで、携帯端末５４による施工状況管理サブ画面の表示は施工現場のみならず、施行現場から離れた施工会社等でも表示して確認することができ、火災報知設備の施工状況を広域的に把握して施工工事を効率良く進めることが可能となる。
【０１２３】
［受信機と中継盤で構成された分散システムのデータ変更］
図１５は中継盤の施工状況を受信機により画面表示する火災報知設備の実施形態を示した説明図である。
【０１２４】
監視対象とする施設が複数の住棟に分かれる等して大規模になる場合には、図１５に示すように、防災センター等に設置した受信機１０に対し例えば住棟毎に分けて中継盤１２０が設置され、受信機１０と中継盤１２０の間はイーサネット（登録商標）等のネットワーク回線１２６により通信接続されている。
【０１２５】
受信機１０は図１に示したと同じであり、これに対し中継盤１２０は図１の受信機１０からディスプレイ３６、表示部３８、操作部４０及び音響警報部４２を含む操作表示機能を除いた構成となり、それ以外は、受信機１０と基本的に同じとなり、警戒区域に引き出された伝送回線１２２にアナログ火災感知器１４を含む端末機器が受信機１０と同様に接続され、更に、中継盤１２０毎に施工端末情報１２４が記憶されている。
【０１２６】
受信機１０には施工端末管理部５０の機能が設けられ、施行端末管理部５０は、図１の実施形態と同様に、自己の施工端末情報５２に基づき施工状況管理画面を生成して表示すると共に携帯端末５４に通信接続して施工状況管理サブ画面を表示可能としているが、これに加え、受信機１０における中継盤１２０の施工状況の確認操作に基づき、指定された中継盤１２０にネットワーク回線１２６によりデータ転送要求を行って中継盤１２０の施工端末情報１２４を取得し、中継盤１２０で生成管理されている施工端末情報１２４に基づき、中継盤１２０を対象とした施工状況管理画面を生成して表示し、更に、携帯端末５４に通信接続して中継盤１２０を対象とした施工状況管理サブ画面を表示可能としている。
【０１２７】
このため現場担当者、協力業者、工事管理者等の工事関係者は、受信機１０の設置場所に出向いて中継盤１２０の施工状況管理画面により端末情報を確認することなく、工事関係者が携帯している携帯端末に中継盤１２０の施工端末情報１２４に基づき表示された施工状況管理サブ画面を見ることで中継盤１２０における端末の施工状況を簡単に確認することができ、受信機画面で中継盤１２０の施工状況を確認するために順番待ちをしたり、離れた工事原価場から受信機画面を見るために行き来する必要がなくなり、中継盤１２０における端末の施工状況を見るための工事関係者の負担を解消し、消防検査に向けた施工工事を円滑に効率良く進めることを可能とする。
【０１２８】
［施工状況管理画面の画面情報の送信］
また、本発明の他の実施形態として、工事関係者が携帯する携帯端末は、受信機の施工端末管理部により表示する施工状況画面の画面情報を、受信機の通信部に通信接続して施工端末管理部から受信した施工状況管理画面のコピー画面を施工状況管理サブ画面として表示するようにしても良い。この場合、受信機は所定の周期及び又は端末情報に変化がある毎に、そのとき生成された施工状況管理画面を携帯端末に送信して記憶させる。
【０１２９】
このため携帯端末は、受信機で生成された施工状況管理画面を履歴画面として記憶保持することとなり、必要に応じて昨日、本日、カレンダ選択日といった施工状況管理サブ画面を期間選択により表示できる。また、施工状況管理画面を履歴画面を指定された期間について連続して読出して表示させることで、スライド再生による施工状況管理サブ画面の表示ができる。
【０１３０】
このように受信機で表示している施工状況管理画面をコピー画面として携帯端末に送信して施工状況管理サブ画面として表示させることで、受信機で生成管理している施行端末情報を携帯端末に送って施工状況管理サブ画面を生成表示する場合に比べ、携帯端末側の処理を簡単にすることができ、例えば、スマートホンやタブレット端末等により施工状況管理サブ画面を簡単に表示して確認することが可能となる。
【０１３１】
［本発明の変形例］
（Ｐ型受信機）
上記の実施形態は、Ｒ型の受信機からの信号回線を介してＲ型の火災感知器を接続した火災報知設備を例にとっているが、Ｐ型の受信機から引き出した感知器回線にアドレスを設定すると共に伝送機能を備えたアドレッサブル火災感知器を接続した火災報知設備についても、同様に、受信機の施工端末管理部で生成管理されている施工端末情報を工事関係者の携帯端末に送信して施工状況管理サブ画面を表示させるようにしても良い。
【０１３２】
（携帯端末による加工画面の表示）
上記の実施形態では、受信機の施工状況管理画面と同様な画面加工を携帯端末で行う場合を例にとっているが、携帯端末に固有な画面加工を行って施工状況管理サブ画面を携帯端末に表示するようにしても良い。
【０１３３】
（その他）
施工状況管理画面において各アドレスの接続状態を符号「未」，「発」，「煙」，「熱」，「入」，「ガ」等で表示しているがアルファベットや所定のピクトグラム等、適宜の表示を行っても良い。
【０１３４】
また、本発明はその目的と利点を損なうことのない適宜の変形を含み、更に上記の実施形態に示した数値による限定は受けない。
【符号の説明】
【０１３５】
１０：受信機
１２−１〜１２−３：信号回線
１４：アナログ火災感知器
１６：中継器
１７：感知器回線
１８：オンオフ火災感知器
２０：発信機
２２：アドレッサブル発信機
２４：防排煙機器
２６：メインＣＰＵ
２８−１〜２８−３：サブＣＰＵ基板
３０−１〜３０−３：サブＣＰＵ
３２−１〜３２−３：伝送部
３４：シリアル転送バス
３６，６８：ディスプレイ
３８：表示部
４０：操作部
４２：音響警報部
４４：移報部
４６：無線ＬＡＮ通信部
４７：無線ルータ
４８：火災監視制御部
５０：施工端末管理部
５２，７４，１２４：施工端末情報
５４：携帯端末
５６：広域無線通信網
５８：インターネット
６０：サーバ
６２：端末ＣＰＵ
６４：通信部
７０：操作表示部
７６−１〜７６−４，１００−１〜１００−３：施工状況管理画面
７８，９２，１０２：端末アドレス表示部
８０：一覧釦
８２：詳細釦
８４：昨日開通釦
８６：本日開通釦
８８：カレンダ選択釦
１１０：端末未接続アドレス
１１２：端末接続アドレス
１１４：種別エラーアドレス
１１６：担当者端末接続アドレス
１２０：中継盤
１２６：ネットワーク回線
【図１】
2019204423.tif 000003
【図２】
2019204423.tif 000004
【図３】
2019204423.tif 000005
【図４】
2019204423.tif 000006
【図５】
2019204423.tif 000007
【図６】
2019204423.tif 000008
【図７】
2019204423.tif 000009
【図８】
2019204423.tif 000010
【図９】
2019204423.tif 000011
【図１０】
2019204423.tif 000012
【図１１】
2019204423.tif 000013
【図１２】
2019204423.tif 000014
【図１３】
2019204423.tif 000015
【図１４】
2019204423.tif 000016
【図１５】
2019204423.tif 000017